(57)【要約】【課題】２以上の表示装置にベース装置から映像信号を供給するに当たり、一方の表示装置からベース装置を遠隔操作し、他の表示装置に対して映像を表示することを可能にする。【解決手段】映像表示システム１は、可搬型表示装置１００、ベース装置２００及び大画面表示装置３００からなり、ベース装置２００は表示装置１００，３００に映像信号を供給する。可搬型表示装置１００の表示画面には、使用者が接触した際の接触位置を検出するタッチパネルが設けられ、表示画面上に使用者からの操作入力を受け付けるリモコンパネルＲＰを表示し、タッチパネルにより検出される接触位置に表示されているリモコンパネルＲＰの表示項目に応じた操作信号を形成し、無線通信としてベース装置２００に送信し、ベース装置２００は、操作信号に応じて映像信号の供給元である外部入力装置４００から供給される映像信号を選択し、大画面表示装置３００に供給する。【選択図】　図１
2004040656.tif 000002
【特許請求の範囲】
【請求項１】
第１及び第２の表示装置と少なくとも上記第１の表示装置に映像信号を供給するベース装置とからなる映像表示システムであって、
上記第１の表示装置は、上記ベース装置から供給される上記映像信号を表示する映像表示部を備え、
上記第２の表示装置は、上記ベース装置との間で信号の授受を行う双方向通信手段と、使用者からの操作入力を受け付けるための操作用表示情報を表示する表示部と、この表示部の表示画面に設けられ、使用者が接触するようにした上記表示画面上の接触位置を検出する接触位置検出手段と、上記接触位置検出手段により検出される上記表示画面上の接触位置に表示されている上記操作用表示情報の表示項目に応じた操作信号を生成する操作信号生成手段とを備え、
上記ベース装置は、少なくとも上記第１の表示装置に上記映像信号を出力する映像信号出力手段と、少なくとも上記第２の表示装置との間で信号の授受を行う双方向通信手段と、上記映像信号の供給元である外部入力装置を接続する外部入力装置接続手段と、上記双方向通信手段を介して受信した上記操作信号に基づいて上記外部入力装置を制御する外部入力装置制御信号を該外部入力装置に送信する制御信号送信手段とを備える
ことを特徴とする映像表示システム。
【請求項２】
上記ベース装置は、チューナ手段を有し、上記操作信号に基づき上記チューナ手段により選局された映像信号を上記映像信号出力手段を介して上記第１の表示装置に供給する
ことを特徴とする請求項１記載の映像表示システム。
【請求項３】
上記第１の表示装置は、チューナ手段を有し、上記ベース装置から上記操作信号が入力され該操作信号に基づき上記チューナ手段により選局された映像信号を上記映像表示部により表示する
ことを特徴とする請求項１記載の映像表示システム。
【請求項４】
上記ベース装置の上記制御信号送信手段は、上記外部入力装置に対する上記外部入力装置制御信号を赤外線信号により無線送信する
ことを特徴とする請求項１記載の映像表示システム。
【請求項５】
上記ベース装置は、通信回線に接続され該通信回線を通じて送信されてくる情報信号を受信する受信手段と、上記双方向通信手段を介して受信した上記操作信号が上記第１の表示装置及び／又は第２の表示装置への上記情報信号の送信指示である場合に、上記情報信号を送信するように制御する送信制御手段と、上記双方向通信手段を介して受信した上記操作信号が上記通信回線を通じて接続される相手先へ送信する送信情報である場合に、該送信情報を上記通信回線を通じて目的とする上記相手先に送信する送信情報送信手段とを有する
ことを特徴とする請求項１記載の映像表示システム。
【請求項６】
上記操作用表示情報は、上記表示画面上に透過表示されることを特徴とする請求項１記載の映像表示システム。
【請求項７】
外部入力装置接続手段は、アンプを介して上記映像信号の供給元である上記外部入力装置を接続することを特徴とする請求項１記載の映像表示システム。
【請求項８】
上記第２の表示装置は、上記操作用表示情報の表示内容に連動して上記第１の表示装置に供給される映像信号を切り替えるか否かを選択する連動／非連動機能を有する
ことを特徴とする請求項１記載の映像表示システム。
【請求項９】
第１及び第２の表示装置と少なくとも上記第１の表示装置に映像信号を供給するベース装置とからなる映像表示システムの映像表示方法であって、
上記第２の表示装置の表示画面に操作用表示情報を表示して使用者からの操作入力を受け付ける受付工程と、
上記第２の表示装置の表示画面に設けられた接触位置検出手段により使用者が接触するようにした上記表示画面上の接触位置を検出する検出工程と、
上記接触位置検出手段により検出された上記表示画面上の接触位置に表示されている上記操作用表示情報の表示項目に応じた操作信号を生成する操作信号生成工程と、
上記第２の表示装置の上記ベースとの間で信号の授受を行う双方向通信手段を介して上記操作信号を上記ベース装置に送信する操作信号送信工程と、
上記ベース装置の少なくとも上記第２の表示装置との間で信号の授受を行う双方向通信手段を介して受信した上記操作信号に基づいて上記映像信号の供給元である外部入力装置を制御する外部入力装置制御工程と、
上記外部入力装置から上記ベース装置へ供給される上記映像信号を少なくとも上記第１の表示装置にて表示する映像表示工程と、
を有することを特徴とする映像表示方法。
【請求項１０】
上記ベース装置の上記双方向通信手段を介して受信した上記操作信号により、上記ベース装置のチューナ手段を制御する工程と、
上記チューナ手段により選局された映像信号を上記第１の表示装置に供給する工程とを有する
ことを特徴とする請求項９記載の映像表示方法。
【請求項１１】
上記ベース装置の上記双方向通信手段を介して受信した上記操作信号により、上記第１の表示装置のチューナ手段を制御する工程と、
上記チューナ手段により選局された映像信号を上記映像表示部により表示する工程とを有する
ことを特徴とする請求項９記載の映像表示方法。
【請求項１２】
上記ベース装置が、通信回線に接続され該通信回線を通じて送信されてくる情報信号を受信する受信工程と、
上記ベース装置の上記双方向通信手段を介して受信した上記操作信号が上記第１の表示装置及び／又は第２の表示装置への上記情報信号の送信指示である場合に、上記情報信号を送信するように制御する送信制御工程と、
上記双方向通信手段を介して受信した上記操作信号が上記通信回線を通じて接続される相手先へ送信する送信情報である場合に、該送信情報を上記通信回線を通じて目的とする上記相手先に送信する送信情報送信工程とを有する
ことを特徴とする請求項９記載の映像表示方法。
【請求項１３】
複数の映像信号の供給元である外部入力装置に接続され少なくとも１つの映像表示装置に所定の映像信号を供給するベース装置との間で信号の授受を行う双方向通信手段と、
使用者からの操作入力を受け付けるための操作用表示情報を表示する表示手段と、
上記表示部の表示画面に設けられ、使用者が接触するようにした上記表示画面上の接触位置を検出する接触位置検出手段と、
上記接触位置検出手段により検出される上記表示画面上の接触位置に表示されている上記操作用表示情報の表示項目に応じた操作信号を形成する操作信号形成手段とを備え、
上記操作信号は、上記双方向通信手段を介して上記ベース装置に送信され、上記ベース装置は、上記操作信号に基づき上記外部入力装置から所定の映像信号を上記映像表示装置に供給して表示させる
ことを特徴とする表示装置。
【発明の詳細な説明】
【０００１】
【発明の属する技術分野】
本発明は、少なくとも２つの表示装置と少なくとも一方の表示装置に映像信号を供給し他方の表示装置と双方向通信が可能なベース装置とからなる映像表示システム及び映像表示方法、並びにこの映像表示システムに使用され上記ベース装置と双方向通信が可能な表示装置に関する。
【０００２】
【従来の技術】
例えば、テレビ受像機において、画質の調整やタイマの設定などは、テレビ受像機のリモートコマンダ（以下、リモコンと略称する。）のボタン操作等よって、テレビ受像機の表示画面に実行可能な処理を選択するためのメニューを表示する。そして、使用者は、テレビ受像機のリモコンを用いて、目的とする処理を選択し、表示画面に表示されるガイダンス表示などにしたがって、リモコンを操作することにより、画質の調整やタイマの設定などの目的とする処理を行うことができるようにされている。
【０００３】
また、ＳＴＢ（Ｓｅｔ−Ｔｏｐ　ｂｏｘ）　やＩＲＤ（Ｉｎｔｅｇｒａｔｅｄ　Ｒｅｃｅｉｖｅｒ　Ｄｅｃｏｄｅｒ）などと呼ばれる衛星放送信号を受信する受信機などにおいては、ＥＰＧなどと呼ばれる電子番組ガイドなどのデータ表示を、モニタ受像機の表示画面に表示するようにすることが行われている。この場合には、使用者は、受信機のリモコンを用い、モニタ受像機の表示画面に表示されている電子番組ガイドに基づいて、視聴しようとする番組を選択することにより、受信機の選局チャンネルを変えることができるようにされている。
【０００４】
このように、テレビ受像機やテレビ放送信号を受信する受信機においては、メニューやガイダンス、あるいは、電子番組ガイドなどの情報表示と、リモコン操作とを組み合わせることによって、目的とする処理をわかりやすく比較的に簡単に実行させることができるように工夫されている。
【０００５】
ところが、前述のように、テレビ受像機やＳＴＢやＩＲＤに対して目的とする処理を行わせるために、メニューやガイダンスなどの必要な情報をテレビ受像機などの表示画面に表示し、この表示情報を見ながらリモコンを操作する方式では、リモコンに対する操作が繁雑になる場合がある。
【０００６】
例えば、複数のメニューの中から目的とする処理を選択項目として含むメニューを表示させるために、メニューのページ送りを複数回行わなければならなかったり、表示画面上のカーソルを移動させるためにリモコンに対して頻繁に操作を行わなければならなかったり、また、リモコンを通じて決定操作を行わなければならないなどの場合がある。
【０００７】
また、テレビ受像機などのモニタ装置も、ＬＣＤ（Ｌｉｑｕｉｄ　Ｃｒｙｓｔａｌ　Ｄｉｓｐｌａｙ）などを用いることによって、小型化、軽量化が進み、持ち運びが可能で、使用者の手が届く位置で使用されるものも増えてくると考えられる。このような場合には、テレビ受像機のリモコンは不用であるし、また、テレビ受像機に映像信号や音声信号を供給する受信機などの外部入力装置のリモコンの存在が煩わしくなってしまう。
【０００８】
そこで、本件出願人は、例えば、特開２００２−３４０２３号公報に記載されているように、表示装置を用いて、テレビ番組などの映像情報を観視したり、音声情報を聴取したりすることができるとともに、表示装置の表示素子に表示される操作用表示情報とタッチパネルなどの接触位置検出手段を通じて、ベース装置やベース装置に接続される外部入力装置を遠隔操作することができるようにして、煩わしい操作を行うことなく、遠隔操作を行うことを可能にし、より使い勝手のよいホームネットワークを構築することが可能な双方向通信システムを先に提案している。
【０００９】
【発明が解決しようとする課題】
ところで、上記特開２００２−３４０２３号公報に記載された双方向通信システムでは、表示装置の表示素子に表示される操作用表示情報とタッチパネルなどの接触位置検出手段を通じて、ベース装置やベース装置に接続される外部入力装置を遠隔操作することができ、所望の映像を簡単に選択して表示装置に表示することができるのである。
【００１０】
本発明は、このような双方向通信システムを利用して、２以上の表示装置にベース装置から映像信号を供給するに当たり、一方の表示装置からベース装置を遠隔操作し、他の表示装置に対して映像を表示することを可能にした映像表示システム、映像表示方法及び、このような映像表示システムにおいてベース装置を遠隔操作可能な表示装置を提供することを目的とする。
【００１１】
【課題を解決するための手段】
上述した目的を達成するために、本発明に係る映像表示システムは、第１及び第２の表示装置と少なくとも上記第１の表示装置に映像信号を供給するベース装置とからなる映像表示システムであって、上記第１の表示装置は、上記ベース装置から供給される上記映像信号を表示する映像表示部を備え、上記第２の表示装置は、上記ベース装置との間で信号の授受を行う双方向通信手段と、使用者からの操作入力を受け付けるための操作用表示情報を表示する表示部と、この表示部の表示画面に設けられ、使用者が接触するようにした上記表示画面上の接触位置を検出する接触位置検出手段と、上記接触位置検出手段により検出される上記表示画面上の接触位置に表示されている上記操作用表示情報の表示項目に応じた操作信号を生成する操作信号生成手段とを備え、上記ベース装置は、少なくとも上記第１の表示装置に上記映像信号を出力する映像信号出力手段と、少なくとも上記第２の表示装置との間で信号の授受を行う双方向通信手段と、上記映像信号の供給元である外部入力装置を接続する外部入力装置接続手段と、上記双方向通信手段を介して受信した上記操作信号に基づいて上記外部入力装置を制御する外部入力装置制御信号を該外部入力装置に送信する制御信号送信手段とを備えることを特徴とする。
【００１２】
本発明においては、第２の表示装置において使用者からの操作入力に応じた操作信号を生成してベース装置に送信し、操作信号に基づいてベース装置に接続された映像信号の供給元となる外部入力装置を制御して所望の映像を第１の表示装置に供給して表示することができ、使用者からの操作を受け付ける第２の表示装置を第１の表示装置の遠隔操作装置として機能させることができる。
【００１３】
また、上記ベース装置は、チューナ手段を有し、上記操作信号に基づき上記チューナ手段により選局された映像信号を上記映像信号出力手段を介して上記第１の表示装置に供給してもよい。
【００１４】
更に、上記第１の表示装置は、チューナ手段を有し、上記ベース装置から上記操作信号が入力され該操作信号に基づき上記チューナ手段により選局された映像信号を上記映像表示部により表示してもよい。
【００１５】
更にまた、上記ベース装置の上記制御信号送信手段は、上記外部入力装置に対する上記外部入力装置制御信号を赤外線信号により無線送信することができる。
【００１６】
また、上記ベース装置は、通信回線に接続され該通信回線を通じて送信されてくる情報信号を受信する受信手段と、上記双方向通信手段を介して受信した上記操作信号が上記第１の表示装置及び／又は第２の表示装置への上記情報信号の送信指示である場合に、上記情報信号を送信するように制御する送信制御手段と、上記双方向通信手段を介して受信した上記操作信号が上記通信回線を通じて接続される相手先へ送信する送信情報である場合に、該送信情報を上記通信回線を通じて目的とする上記相手先に送信する送信情報送信手段とを有することができる。
【００１７】
更に、上記操作用表示情報は、上記表示画面上に透過表示されるものとすることができる。
【００１８】
更にまた、外部入力装置接続手段は、アンプを介して上記映像信号の供給元である上記外部入力装置を接続することができる。
【００１９】
また、上記第２の表示装置は、上記操作用表示情報の表示内容に連動して上記第１の表示装置に供給される映像信号を切り替えるか否かを選択する連動／非連動機能を有することができる。即ち、連動の場合は、操作用表示情報の切り替えに連動して第１の表示装置の入力も切り替えられ、非連動の場合は、第１の表示装置の入力を切り替えずに操作用表示情報の表示内容を切り替えることができる。
【００２０】
本発明に係る映像表示方法は、第１及び第２の表示装置と少なくとも上記第１の表示装置に映像信号を供給するベース装置とからなる映像表示システムの映像表示方法であって、上記第２の表示装置の表示画面に操作用表示情報を表示して使用者からの操作入力を受け付ける受付工程と、上記第２の表示装置の表示画面に設けられた接触位置検出手段により使用者が接触するようにした上記表示画面上の接触位置を検出する検出工程と、上記接触位置検出手段により検出された上記表示画面上の接触位置に表示されている上記操作用表示情報の表示項目に応じた操作信号を生成する操作信号生成工程と、上記第２の表示装置の上記ベースとの間で信号の授受を行う双方向通信手段を介して上記操作信号を上記ベース装置に送信する操作信号送信工程と、上記ベース装置の少なくとも上記第２の表示装置との間で信号の授受を行う双方向通信手段を介して受信した上記操作信号に基づいて上記映像信号の供給元である外部入力装置を制御する外部入力装置制御工程と、上記外部入力装置から上記ベース装置へ供給される上記映像信号を少なくとも上記第１の表示装置にて表示する映像表示工程と、を有することを特徴とする。
【００２１】
本発明に係る表示装置は、複数の映像信号の供給元である外部入力装置に接続され少なくとも１つの映像表示装置に所定の映像信号を供給するベース装置との間で信号の授受を行う双方向通信手段と、使用者からの操作入力を受け付けるための操作用表示情報を表示する表示手段と、上記表示部の表示画面に設けられ、使用者が接触するようにした上記表示画面上の接触位置を検出する接触位置検出手段と、上記接触位置検出手段により検出される上記表示画面上の接触位置に表示されている上記操作用表示情報の表示項目に応じた操作信号を形成する操作信号形成手段とを備え、上記操作信号は、上記双方向通信手段を介して上記ベース装置に送信され、上記ベース装置は、上記操作信号に基づき上記外部入力装置から所定の映像信号を上記映像表示装置に供給して表示させることを特徴とする。
【００２２】
【発明の実施の形態】
以下、本発明の実施の形態について、図面を参照して詳細に説明する。本実施の形態は、本発明を、大画面表示装置（第１の表示装置）と、可搬型表示装置（第２の表示装置）と、少なくともこの大画面表示装置に映像を供給するベース装置（ベースステーション）とからなり、可搬型表示装置により、無線通信にてベース装置を遠隔操作し、ベース装置を介して大画面表示装置に映像を供給する外部入力機器を制御して大画面表示装置に映像を表示させる、可搬型表示装置とベース装置との間でワイヤレス双方向通信可能な映像表示システムに適用したものである。
【００２３】
図１は、本発明の実施の形態の映像表示システムを示す模式図である。図１に示すように、映像表示システム１は、表示素子としてＬＣＤ１０７を備える例えば液晶ディスプレイ装置等の可搬型表示装置（第２の表示装置）１００と、ベース装置（ベースステーション）２００と、このベース装置２００と専用の接続ケーブル３５０により接続された、例えば大画面のプラズマディスプレイ装置等の大画面表示装置（第１の表示装置）３００とからなり、ベース装置２００には、映像信号の供給元である複数の外部入力機器（外部入力装置）４００が接続され、この外部入力機器４００から供給される映像信号が、ベース装置２００を介して可搬型表示装置１００及び大画面表示装置３００に供給され表示される。可搬型表示装置１００は、無線通信によりベース装置２００と通信可能であり、ベース装置２００からの信号を受信することができるとともに、ベース装置２００に対して信号を送信することができる。
【００２４】
ベース装置２００は、図示しない外部入力端子（外部入力装置接続手段）を備え、例えば、ＶＴＲ（Ｖｉｄｅｏｔａｐｅ　Ｒｅｃｏｄｅｒ）、ＳＴＢ（Ｓｅｔ　Ｔｏｐ　Ｂｏｘ）、ＩＲＤ（Ｉｎｔｅｇｒａｔｅｄ　Ｒｅｃｅｉｖｅｒ−Ｄｅｃｏｄｅｒ）、ＤＶＤ（Ｄｉｇｉｔａｌ　Ｖｅｒｓａｔｉｌｅ　Ｄｉｓｋ）装置等の各種の外部入力機器４００が接続可能となっている。外部入力機器４００は、例えばビデオデッキ４０１、ＤＶＤ４０２、ＢＳ（Ｂｒｏａｄｃａｓｔ　Ｓａｔｅｌｉｔｅ）デジタルチューナ等のＳＴＢ４０３等である。本実施の形態においては、ベース装置２００には７つの外部入力機器接続用の外部入力端子が設けられ、７つの外部入力機器と接続することができるものとするが、外部入力端子は、必要に応じて任意の数だけ設けることができる。
【００２５】
そして、ベース装置２００には、外部入力機器４００の例えばＳＴＢ４０３からの衛星放送番組の映像信号や音声信号等が供給され、これらの情報信号を接続ケーブル３５０を介して大画面表示装置３００に供給すると共に、無線信号により、可搬型表示装置１００に供給することができる。
【００２６】
可搬型表示装置１００は、図１に示すように、外部入力機器４００を制御する操作入力を受け付けるための、アルファブレンド（透過）表示機能を有する遠隔操作（ｒｅｍｏｔｅ　ｃｏｎｔｒｏｌ）用パネル（操作用表示情報）（以下、リモコンパネルという。）ＲＰをＬＣＤ１０７に必要に応じて表示することができる。使用者は、このリモコンパネルＲＰを介してベース装置２００を遠隔操作し、外部入力機器４００から供給される映像信号を選択し、可搬型表示装置１００及び大画面表示装置３００に表示させることができる。また、可搬型表示装置１００には、リモコンボタン１２３が設けられ、これにより、リモコンパネルＲＰを表示させることができる。
【００２７】
リモコンパネルＲＰは、可搬型表示装置１００の制御部によって実行されるソフトウエアによって表示されるいわゆるソフトウエアキーである。更に、ＬＣＤ１０７には、使用者が接触するようにしたＬＣＤ１０７の表示画面上の接触位置を検出するタッチパネル（接触位置検出手段）が貼付されており、リモコンパネルＲＰの表示と、タッチパネルとにより、使用者からの操作入力を受け付けることができる。
【００２８】
リモコンパネルＲＰは、例えば電源のオン／オフキー、チャンネル選局のための数字キー、チャンネルのアップ／ダウンキー、音量のアップ／ダウンキー等を備えたものである。
【００２９】
可搬型表示装置１００のタッチパネルは、使用者の指等が接触した場合、この接触位置（座標位置）を検出し、その接触位置に表示されているリモコンパネルＲＰを構成する操作キー（操作項目）を判別する。そして、可搬型表示装置１００は、この操作キーに応じた操作信号を形成し、これをベース装置２００に無線送信することができる。
【００３０】
使用者は、可搬型表示装置１００のＬＣＤ１０７に表示されるリモコンパネルＲＰとタッチパネルとを通じて、いわゆるワンタッチで外部入力機器４００に対する操作入力を行い、ベース装置２００を通じて外部入力機器４００を遠隔操作して所望の映像を大画面表示装置３００に表示させることができる。このように、可搬型表示装置１００とベース装置２００との間においては、双方向に無線通信が可能である。
【００３１】
ここで、ベース装置２００には、赤外線のリモコン信号を送信するリモコン信号送信部（リモコンマウス）２５０が接続されており、可搬型表示装置１００からの操作信号に応じたリモコン信号を生成し、これを外部入力機器４００に送信する。外部入力機器４００は、赤外線リモコン信号を受光するフォトディテクタ等からなるリモコン信号受光部２５１を有し、ベース装置２００のリモコンマウス２５０からのリモコン信号を受光し、このリモコン信号に応じて、例えば外部入力機器４００の電源のオン・オフ等を行うように遠隔操作することができる。
【００３２】
更に、本実施の形態のベース装置２００は、チューナ手段を有し、テレビジョン放送信号を受信して大画面表示装置３００に供給することができる。
【００３３】
可搬型表示装置１００は、小型及び軽量であって、また、ベース装置２００とは無線通信により接続するため、持ち運び可能であり、使用者は、ベース装置２００と通信が可能な範囲内であれば何処でも可搬型表示装置１００を持ち運び可能である。
【００３４】
従って、可搬型表示装置１００を使用し、ベース装置２００のチューナにより選局されるテレビ放送番組、ベース装置２００に外部入力機器として接続される例えばＳＴＢ４０３等により選局された衛星放送信号により提供される衛星放送番組、及びＶＴＲやＤＶＤ装置により、これらＶＴＲやＤＶＤ装置により再生される映画等を大画面表示装置３００に供給して視聴することができる。
【００３５】
また、可搬型表示装置１００から、ベース装置２００のモデムを通じて、例えば、インターネット上に提供されているいわゆるホームページの情報を取得し、そのホームページの情報を視聴したり、自己宛ての電子メールを受信して、その電子メールをＬＣＤ１０７に表示して見たり、更に、目的とする相手先に電子メールを作成して送信したりすることができる。
【００３６】
なお、電子メールを作成する場合には、可搬型表示装置１００に対して所定の操作を行うことにより、例えば、アルファベットキーや５０音キー等からなるソフトウエアキーボードをＬＣＤ１０７に表示し、このソフトウエアキーボードとタッチパネルとを通じて、電子メールを作成することができる。そして、送信キーを操作する等の所定の操作を行うことにより、作成した電子メールをベース装置２００に送信し、ベース装置２００を通じて相手先に送信することができる。
【００３７】
このように、ベース装置２００は、ＳＴＢ４０３等の外部入力装置、地上波テレビ放送、インターネット等の通信ネットワーク等の各種の情報伝送媒体と表示装置１００とを結びつけるベースとなる装置である。そして可搬型表示装置１００により、ベース装置２００を遠隔操作することにより、大画面表示装置３００にベース装置２００から情報信号を供給し、これを再生して出力し、使用者に提供することができると共に、可搬型表示装置１００は、電子メール等の送信情報を形成し、ベース装置２００を通じて送信することができる。
【００３８】
次に、本実施の形態の双方向通信システムを構成する各装置について詳細に説明する。先ず、映像表示システム１における可搬型表示装置１００について説明する。図２は、本実施の形態の映像表示システムにおける可搬型表示装置１００を示すブロック図である。図２に示すように、可搬型表示装置１００は、送受信アンテナ１０１、アンテナ共用器１０２、受信処理部１０３、デコード部１０４、ＯＳＤ（Ｏｎ　Ｓｃｒｅｅｎ　Ｄｉｓｐｌａｙ）処理部１０５、映像信号処理部１０６、ＬＣＤ１０７、音声信号増幅部１０８、スピーカ１０９、送信信号形成部１１１、送信処理部１１２、タッチパネル１２１、及び座標検出部１２２を備えている。
【００３９】
この可搬型表示装置１００の各部は、制御部１３０によって制御される。制御部１３０は、ＣＰＵ（Ｃｅｎｔｒａｌ　Ｐｒｏｃｅｓｓｉｎｇ　Ｕｎｉｔ）１３１、ＲＯＭ（Ｒｅａｄ　Ｏｎｌｙ　Ｍｅｍｏｒｙ）１３２、ＲＡＭ（Ｒａｎｄｏｍ　Ａｃｃｅｓｓ　Ｍｅｍｏｒｙ）１３３、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）１３４がＣＰＵバス１３５を通じて接続されて構成されたマイクロコンピュータからなる。
【００４０】
ＲＯＭ１３２は、この可搬型表示装置１００において実行する各種の処理プログラムや処理に必要なデータ等が記録されたものである。ＲＡＭ１３３は、各種の処理において得られたデータを一時的に記憶保持する等のように、主に各種の処理の作業領域として用いられる。
【００４１】
ＥＥＰＲＯＭ１３４は、いわゆる不揮発性のメモリであり、電源が落とされても、記憶保持した情報が失われることがなく、例えば、各種の設定パラメータや、ベース装置２００を通じて、取得するようにしたインターネット上のホームページや、ベース装置２００を通じて送信する作成した電子メールや受信した電子メール等を記憶保持する。
【００４２】
ここで、ベース装置２００からの無線信号を受信する場合の可搬型表示装置１００の動作について説明する。
【００４３】
この可搬型表示装置１００とベース装置２００との間においては、例えば、ＩＥＥＥ（Ｉｎｓｔｉｔｕｔｅ　Ｅｌｅｃｔｒｉｃａｌ　ａｎｄ　Ｅｌｅｃｔｒｏｎｉｃｓ　Ｅｎｇｉｎｅｅｒｓ）８０２．１１方式のプロトコル、あるいは、その発展プロトコル等の所定のプロトコルが用いられて無線通信が行われる。
【００４４】
ベース装置２００から所定の通信プロトコルに準拠した無線信号は、モニタ装置１００の送受信アンテナ１０１により受信され、アンテナ共用器（以下、単に共用器という。）１０２を通じて受信処理部１０３に供給される。共用器１０２は、送信信号と受信信号とが干渉し合うことを防止するためのものである。
【００４５】
つまり、このモニタ装置１００は、ベース装置２００からの信号を送受信アンテナ１０１を通じて受信することができるとともに、自機からの操作信号等を送受信アンテナ１０１を通じて無線送信することができる。このため、共用器１０２は、送信処理部１１２からの送信信号が、送受信アンテナ１０２を通じて受信される受信信号に対して干渉することがないようにしている。
【００４６】
受信処理部１０３は、これに供給された信号を復調する等の処理を行って、復調後の信号をデコード部（伸長処理部）１０４に供給する。ベース装置２００は、内蔵の第１あるいは第２のチューナ２０１，２０２により選局した地上波のテレビ放送番組の映像信号や音声信号、自己のモデムを通じて受信したテキストデータや映像データ等の表示用データや音声データ、あるいは、ＳＴＢからの衛星放送番組の映像信号や音声信号等の情報信号をデータ圧縮して送信してくる。
【００４７】
可搬型表示装置１００のデコード部１０４は、受信処理部１０３からの復調されたデータ圧縮されている信号の供給を受けて、映像信号と音声信号とを分離し、分離した信号を伸長（圧縮解凍）することにより、データ圧縮前の元の信号を復元する。
【００４８】
そして、デコード部１０４は、復元した映像信号と音声信号とをＤ／Ａ変換し、アナログ映像信号とアナログ音声信号とを形成する。そして、デコード部１０４は、アナログ映像信号をＯＳＤ処理部１０５に供給し、アナログ音声信号を音声信号増幅部１０８に供給する。
【００４９】
また、ＯＳＤ処理部１０５は、制御部１３０から供給されるデータに応じて、上述したリモコンパネルＲＰやメニュー表示、各種のメッセージ等を表示するようにするための映像信号処理を行うものであり、放送番組の映像のほかの文字、絵、記号等の表示情報を表示するようにするためのいわゆるテキスト／グラフィック処理回路である。
【００５０】
例えば、図１のリモコンボタン１２３等を使用し、使用者からの指示に応じてリモコンパネルＲＰを表示する場合には、これを表示するための情報が、制御部１３０からＯＳＤ処理部１０５に供給される。そして、デコード部１０４からの映像信号と、制御部１３０から供給されるリモコンパネルＲＰを表示するための情報とが合成され、これが映像信号処理部１０６に供給される。
【００５１】
また、使用者からの指示に応じて選択するようにされているチャンネルを示す文字情報や音量レベルを示す音量バー等を表示する場合には、これらを表示するための情報が、制御部１３０からＯＳＤ処理部１０５に供給される。そして、デコード部１０４からの映像信号と、制御部１３０から供給されるチャンネルを示す文字情報や音量レベルを示す音量バー等を表示するための情報とが合成され、これが映像信号処理部１０６に供給される。
【００５２】
また、映像信号にリモコンパネルＲＰ等の表示情報を合成する必要がない場合には、ＯＳＤ処理部１０５には表示情報は供給されないので、デコード部１０４からのアナログ映像信号がそのまま映像信号処理部１０６に供給される。映像信号処理部１０６は、ＯＳＤ処理部１０５を通じて供給される映像信号から、表示用信号を形成し、これをＬＣＤ１０７に供給する。
【００５３】
これにより、ＬＣＤ１０７の表示画面には、ベース装置２００から無線送信されてきた映像信号に応じた映像が表示される。この場合、ＯＳＤ処理部１０５において、映像信号にリモコンパネルＲＰ等の表示情報が合成されている場合には、リモコンパネルＲＰ等の表示情報が、デコード部１０４からの映像信号による映像とともに表示される。
【００５４】
一方、音声信号増幅部１０８は、これに供給された音声信号を所定のレベルまで増幅し、これをスピーカ１０９に供給する。これにより、スピーカ１０９からは、ベース装置２００から無線送信されてきた音声信号に応じた音声が放音される。
【００５５】
このように、可搬型表示装置１００は、ベース装置２００から無線送信されてくるテレビ放送番組等の映像信号や音声信号を受信して、その受信した映像信号や音声信号を再生して出力することにより、使用者に提供することができる。
【００５６】
また、可搬型表示装置１００は、上述したように、ＬＣＤ１０７に表示されるリモコンパネルＲＰと、ＬＣＤ１０７の表面に貼付されたタッチパネル１２１とにより使用者からの操作入力を受け付け、この操作入力に応じた操作信号をベース装置２００に送信する遠隔操作装置（リモコン）として機能する。
【００５７】
そして、この可搬型表示装置１００では、使用者の指等が接触したタッチパネル１２１上の接触位置（座標位置）を座標検出部１２２により検出し、この座標検出部１２２による検出出力に基づいて制御部１３０において、使用者からの操作入力を判別して、その操作入力に応じた操作信号を形成する。制御部１３０は、操作入力に応じた操作信号を送信信号形成部１１１に供給する。送信信号形成部１１１は、制御部１３０からの操作信号からベース装置２００に送信する送信信号を形成し、これを送信処理部１１２に供給する。送信処理部１１２は、供給された送信信号を変調したり増幅したりする等の処理を行って、実際に送信する形式の送信信号を形成し、これを共用器１０２、送受信アンテナ１０１を通じてベース装置２００に対して無線送信する。このようにして、可搬型表示装置１００から無線送信される操作信号は、ベース装置２００により受信される。
【００５８】
また、この可搬型表示装置１００には、インターフェース（Ｉ／Ｆ）１４０を通じて、キー入力部１４１が接続されている。キー入力部１４１は、例えば、電源のオン／オフスイッチ等備えたものであり、このキー入力部１４１を通じて受け付けた操作入力は、Ｉ／Ｆ１４０を通じて制御部１３０に供給され、電源の投入等操作キーに応じた処理を行うことができるようにされる。
【００５９】
次に、ベース装置２００について詳細に説明する。図３は、本実施の形態の映像表示システム１におけるベース装置２００を示すブロック図である。ベース装置２００は、図３に示すように、テレビジョン放送信号を選局する第１及び第２のチューナ２０２Ａ，２０２Ｂを備えるとともに、電話網やインターネット等の通信ネットワークに接続するための変調復調器であるいわゆるモデムを備え、電話線Ｌを通じて電話網に接続することができるものである。図３において、端子ＭＪは、外部から引き込まれた電話線Ｌとの接続端子（モジュラージャック）である。また、ベース装置２００は、複数の外部入力端子２０４，２０５等（図３においては２つのみ図示）を備え、上述したように、例えば、ＶＴＲ、ＳＴＢ、ＩＲＤ、ＤＶＤ装置等の各種の外部入力機器４００を接続することができるようにされている。
【００６０】
そして、このベース装置２００は、自己のチューナ２０２Ａ，２０２Ｂにより選局し、復調することにより得たテレビジョン放送番組の映像信号や音声信号、あるいは、自己のモデムを通じて通信ネットワークから得た映像データや音声データ、あるいは、ＳＴＢからの衛星放送番組の映像信号や音声信号等の情報信号を可搬型表示装置１００及び大画面表示装置３００に送信することができるようになっている。
【００６１】
即ち、ベース装置２００は、図３に示すように、受信アンテナ２０１Ａ，２０１Ｂに接続される夫々チューナ２０２Ａ，２０２Ｂ、復調部２０３Ａ，２０３Ｂ、映像信号入力端子２０４、音声信号入力端子２０５、セレクタ２０６、圧縮処理部２０７、送信信号形成部２０８、送信処理部２０９、アンテナ共用器（以下、単に共用器という。）２１０、送受信アンテナ２１１、受信処理部２１２等を備えている。
【００６２】
このベース装置２００の各部は、ＣＰＵ２３１、ＲＯＭ２３２、ＲＡＭ２３３、ＥＥＰＲＯＭ２３４がＣＰＵバス２３５を通じて接続されて構成されたマイクロコンピュータからなる制御部２３０によって制御されている。
【００６３】
送受信アンテナ２１１は、可搬型表示装置１００との双方向通信手段であり、上述した可搬型表示装置１００において、使用者からの操作入力に応じて生成された操作信号が、送受信アンテナ２１１を介して受信処理部２１２により受信される。受信処理部２１２により受信された操作信号は、制御部２３０に送られる。こうしてベース装置２００の制御部２３０は、この操作信号により使用者の要求に応じた情報信号（映像信号）を出力端子２１５から図１に示す接続ケーブル３５０を通じて大画面表示装置３００に供給するよう制御する。
【００６４】
ここで、ＲＯＭ２３２は、本実施の形態のベース装置２００において実行する各種の処理プログラムや処理に必要なデータ等が記録されたものである。ＲＡＭ２３３は、各種の処理において得られたデータを一時的に記憶保持する等のように、主に各種の処理の作業領域として用いられるものである。
【００６５】
また、ＥＥＰＲＯＭ２３４は、いわゆる不揮発性のメモリであり、電源が落とされても、記憶保持した情報が失われることがなく、例えば、ベース装置２００の主電源が落とされる直前まで選局していた放送チャンネルの情報を記憶保持し、電源投入後においては、前回電源が落とされる直前まで選局していたチャンネルの放送信号を選局するようにするいわゆるラストチャンネルメモリ機能を実現すること等ができるようにしている。
【００６６】
更に、ＣＰＵバス２３５には、モデム部２２０が接続されている。モデム部２２０は、インターフェース（以下、Ｉ／Ｆと略称する。）部２２１と、通信部２２２とからなっている。Ｉ／Ｆ部２２１は、通信回線、この実施の形態においては電話回線と、このベース装置２００との間のインターフェースであり、可搬型表示装置１００から送られる操作信号に応じて、電話回線を通じて送信されてくる信号を受信したり、ベース装置２００からの信号を電話回線に送信したりする。
【００６７】
通信部２２２は、Ｉ／Ｆ部２２１を通じて受信した信号を復調して、これを制御部２３０に供給したり、制御部２３０からの送信信号を変調して、これをＩ／Ｆ部２２１に供給したりする。これにより、電話回線が接続された相手先との間で、各種のデータの送信、受信を行うことができる。
【００６８】
そして、このベース装置２００は、モデム部２２０、電話線Ｌ、及び、所定のＩＳＰ（Ｉｎｔｅｒｎｅｔ　Ｓｅｒｖｉｃｅ　Ｐｒｏｖｉｄｅｒ）を通じてインターネットに接続し、インターネットを通じて各種の情報の提供を受けたり、電子メールを送信したり受信したりすることができる。このため、制御部２３０は、可搬型表示装置１００から送られる操作信号に応じて、モデム部２２０を制御して、オフフックしたりオンフックしたりすることができるとともに、オフフックするようにモデム部２２０を制御したときには、ダイヤル信号を電話回線に送出するようにするいわゆるダイヤラとしての機能等をも備えたものである。
【００６９】
また、ベース装置２００は、外部入力端子２０４，２０５等を介して外部入力機器４００が電気的に接続され、可搬型表示装置１００から送られる操作信号に応じて外部入力装置４００から供給される映像信号を選択し出力端子２１５を介して大画面表示装置３００に供給することができる。
【００７０】
なお、図示しないが、制御部２３０には、電源のオン／オフキーや各種の設定キーが設けられたキー入力部が接続されており、ベース装置２００の主電源のオン／オフや、各種の設定入力が、キー入力部を通じて行うことができるようにされている。
【００７１】
また、ベース装置２００のチューナ２０２Ａ，２０２Ｂは、夫々受信アンテナ２０１Ａ，２０１Ｂを介して入力されるテレビジョン放送信号から、制御部２３０からの選局指示信号に応じたチャンネルのテレビジョン放送信号を選局し、この選局したテレビジョン放送信号を夫々復調部２０３Ａ，２０３Ｂに供給する。復調部２０３Ａ，２０３Ｂは、これに供給されたテレビジョン放送信号を復調して、復調後の信号（テレビ番組の信号）をセレクタ２０６に供給する。
【００７２】
このセレクタ２０６には、映像信号の外部入力端子２０４を通じて入力された映像信号、音声信号の外部入力端子２０５を通じて入力される音声信号の他、制御部２３０からの情報も供給するようにされている。制御部２３０からセレクタ２０６に供給される情報としては、モデム部２２０を通じて、取り込んだ、例えば、インターネット上に公開されているいわゆるホームページの情報や、電子メール等の情報である。
【００７３】
そして、セレクタ２０６は、制御部２３０からの切り換え制御信号に応じ、復調部２０３からのテレビジョン放送信号を出力するか、外部入力端子２０４、２０５からの映像信号を出力するか、制御部２３０からモデム部２２０を介して取得した各種情報信号を出力するかを切り換える。この制御部２３０からセレクタ２０６に供給される切り換え制御信号は、上述したように、可搬型表示装置１００から無線送信されてくる操作信号に応じて、制御部２３０において形成されるものである。
【００７４】
そして、セレクタ２０６からの出力信号は、圧縮処理部２０７に供給される。圧縮処理部２０７は、これに供給された信号を所定の圧縮方式を用いてデータ圧縮する。この圧縮処理部２０６においては、例えば、ＭＰＥＧ方式やＷａｖｅｌｅｔ方式等のデータ圧縮方式を用いて、セレクタ２０６からの信号をデータ圧縮する。
【００７５】
圧縮処理部２０７においてデータ圧縮された信号は、送信信号形成部２０８に供給される。送信信号形成部２０８は、予め決められた通信プロトコルに準拠した送信信号を形成する。この実施の形態において、ベース装置２００は、例えば、ＩＥＥＥ（Ｉｎｓｔｉｔｕｔｅ　Ｅｌｅｃｔｒｉｃａｌ　ａｎｄ　Ｅｌｅｃｔｒｏｎｉｃｓ　Ｅｎｇｉｎｅｅｒｓ）８０２．１１方式のプロトコル、あるいは、その発展プロトコルに準拠した送信信号を形成する。
【００７６】
送信信号形成部２０８において形成された送信信号は、送信処理部２０９に供給される。送信処理部２０９は、制御部２３０からの制御信号に応じて、送信信号の変調処理や増幅処理を行う。送信処理部２０９において処理された送信信号は、共用器２１０、送受信アンテナ２１１を通じて可搬型表示装置１００へ無線送信される。共用器２１０は、可搬型表示装置１００の共用器１０２と同様に、送信信号と受信信号とが干渉し合うことを防止する。
【００７７】
このようにして、ベース装置２００は、チューナ２０２Ａ，２０２Ｂにより選局されたテレビ放送番組の映像信号や音声信号、あるいは、外部入力端子２０４、２０５を通じて受け付けた映像信号や音声信号、あるいは、モデム２２０を通じて取得した情報のテキストデータや映像データ、音声データを、可搬型表示装置１００からの操作信号に応じ、セレクタ２０５で選択し、出力端子２１５から上記図１の接続ケーブル３５０を介して大画面表示装置３００に供給することができると共に、データ圧縮して、所定の通信プロトコルで無線送信することにより可搬型表示装置１００に供給することができる。
【００７８】
次に、本実施の形態の映像表示システム１における可搬型表示装置１００のＬＣＤ１０７に設けられるタッチパネル１２１及びＬＣＤ１０７に表示されるリモコンパネルＲＰについて更に詳細に説明する。
【００７９】
図４及び図５は、ＬＣＤ１０７に表示されるリモコンパネルＲＰを示す図であって、夫々ＴＶ用及びビデオ用のリモコンパネルＲＰを示す模式図である。図４及び図５においては、ＬＣＤ１０７には、リモコンパネルＲＰのみ表示されている場合を示すが、リモコンパネルＲＰが表示されている以外の領域に、大画面表示装置３００と同様の映像を表示するものであってもよい。
【００８０】
図４に示すＴＶ用リモコンは、例えば、図１に示すリモコンボタン１２３、又はＴＶ用リモコンパネルＲＰを表示させる専用のリモコンボタンを可搬型表示装置１００に設ける等して、これらのボタンを操作することにより表示させることができる。また、ＴＶ用リモコン以外のリモコンパネル、即ち、例えば図５に示すビデオ用リモコンパネルは、例えば後述するインデックス画面に設けたボタン又はＴＶ用リモコンパネルに設けた機器選択ボタン等を操作して表示させることができる。
【００８１】
図４及び図５に示すように、リモコンパネルＲＰの右側には、ベース装置２００を選択し、ベース装置２００からのテレビ放送番組の映像を表示するための機器選択ボタン５１０１、ベース装置２００に接続された複数の外部入力機器４００を選択して、各外部入力機器４００からの各種映像信号を表示するための機器選択ボタン５１０２、５１０３、・・・が表示されている。
【００８２】
図４は、機器選択ボタン５１０１が選択されて、ＴＶ用リモコンパネルＲＰが表示されている場合であり、図５は、外部入力機器４００として、ビデオ装置が接続されおり、そのビデオ装置を指定する機器選択ボタン５１０３が選択されて、ビデオ用リモコンパネルＲＰが表示されている場合を示すものである。
【００８３】
これらのリモコンパネルＲＰには、機器選択ボタン５１０１、５１０２・・・とは別に、大画面表示装置３００及びＬＣＤ１０７に表示される映像の画質モード、画面表示、ワイド表示、サラウンド等を切り替えるボタン５０１ａ〜５０１ｄ、大画面表示装置３００の電源用のボタン５０２、音量調節用の音量アップボタン５０３ａ、音量ダウンボタン５０３ｂ、消音ボタン５０４、及びリモコンパネルの表示をオフする表示オフボタン５０５等が設けられている。
【００８４】
また、図４に示すＴＶ用リモコンパネルＲＰには、更に、ＴＶチャンネルを選択するボタン、及びＴＶチャンネルアップ／ダウンボタン等の各種のテレビ操作用のボタンが表示された表示部５２０が備えられており、図５に示すビデオ用のリモコンパネルＲＰには、ビデオの電源ボタン、チャンネルアップ／ダウンボタン、録画、再生、巻き戻し、早送り、一時停止、及び停止等の操作ボタン等、各種のビデオ操作用のボタンが表示された表示部５３０が備えられている。
【００８５】
これらのボタンを操作（タッチ）することにより、ＬＣＤ１０７の表面に設けられたタッチパネル１２１が操作位置を検出し、可搬型表示装置１００の制御部１３０が検出した操作位置に応じて、例えば音量アップ又は音量ダウンの音量調節コマンド、チャンネルアップ、又はチャンネルダウンの選局コマンド等を示す操作信号を形成して送信処理部１１２からベース装置２００に送信する。これにより、ベース装置２００の制御部２３０は操作信号に応じた音量調節処理、選局処理等を行う。
【００８６】
ここで、外部入力機器４００の機器を選択する機器選択ボタン５１０２、５１０３・・・の選択に応じてリモコンパネルＲＰの表示も切替られるが、この機器選択ボタン５１０２、５１０３・・・の詳細な設定は、設定画面により行うことができる。図６は、設定画面の一例を示す模式図である。この設定画面は、例えば、可搬型表示装置１００に専用のボタンを設けてこのボタンを操作するか、後述するインデックス画面に専用のボタンを設けてこのボタンを操作するか、又は図４及び図５に示すように、ウィンドウの下方に設けられた操作バー５４１のリモコン設定ボタンを操作する等することによりＬＣＤ１０７のウィンドウ５４０上に図６に示す設定画面５５０を表示することができる。
【００８７】
図６に示すように、設定画面５５０には、入力端子、インデックス及びリモコン設定を示す表示欄５５１乃至５５３が表示されている。また、設定画面５５０の下方のウィンドウ５４０上には、各種の操作ボタンを有する操作バー５４１が設けられている。
【００８８】
入力端子の表示欄５５１は、ベース装置２００に設けられた外部入力端子に接続する外部入力機器４００の種類を示すもので、本実施の形態においては、７つの接続端子が設けられ、７つの外部入力機器４００と接続可能となっており、７つの外部入力機器４００が夫々「ビデオ１」〜「ビデオ７」の欄として表示されている場合を示す。
【００８９】
インデックス表示欄５５２は、後述するインデックス画面において表示するか否かを設定するもので、図６においては、２番目の入力端子に接続されたハードディスクである外部入力機器（「ビデオ２」）のみ、インデックス画面において表示しない場合を示している。インデックス画面での表示／非表示の切り替えは、例えば設定画面５５０の各入力端子毎に設けられたチェックボックス５５４をチェックし、操作バー５４１に設けられた操作ボタン（表示ボタン５４２／表示取消ボタン５４３）を操作（タッチ）することにより行うことができる。
【００９０】
また、リモコン設定を示す表示欄５５３は、例えば、各外部入力機器４００の種類を設定し、表示するものである。このリモコン設定は、設定画面５５０の各入力端子毎に設けられたチェックボックス５５４をチェックし、操作バー５４１に設けられた操作ボタン（リモコン設定ボタン）５４４を操作（タッチ）することにより更に詳細な設定をすることができる。
【００９１】
図７は、リモコン詳細設定の画面の一例を示す模式図である。図７に示すように、リモコン詳細設定の画面５６０においては、外部入力機器４００の機器を識別する名前（リモコン名）を入力するリモコン名入力欄５６１、リモコン名に対応する外部入力機器４００のメーカ及び機種名を選択するメーカ選択欄５６２及び機種名選択欄５６３等が設けられており、各外部入力機器４００に応じて設定することができる。
【００９２】
更に、本実施の形態においては、設定画面５５０等により設定した外部入力機器４００の情報等をインデックス表示することができる。図８は、インデックス表示画面の一例を示す模式図である。インデックス画面５７０は、可搬型表示装置１００に設けられた図１のリモコンボタン１２３又はインデックス画面５７０を表示させる専用のボタンを設け、このボタンを操作すること等によりウィンドウ５４０上に表示することができる。図８に示すインデックス画面５７０においては、図６及び図７に示す設定を行った後のインデックス画面５７０を示すものとする。
【００９３】
インデックス画面５７０には、テレビチャンネルを切り替え選択するためのチャンネル選局ボタン５７１と、図５において、入力端子に接続された外部入力機器４００（「ビデオ１」〜「ビデオ７」）のうち、インデックス表示を指定したものに対応する表示ボタン５７２が表示される。ここで、図６において、２番目の入力端子（「ビデオ２」）に接続した外部入力機器であるハードディスクのインデックス表示を非表示としているため、このビデオ２に対応するボタンは表示されない。また、これらの外部入力機器に対応するボタン５７２の他、インターネットに接続するインターネット接続用ボタン５７３、メールの送受信を行うメールボタン５７４、ベース装置２００又は外部入力機器等のメモリに保存された写真等のデータを読み出すためのアルバムボタン５７５等が設けられている。また、コンテンツのサービスを受けるためのコンテンツサービスボタン５７６等も設けられている。
【００９４】
そして、インデックス画面５７０の例えば、テレビのチャンネル選局ボタン５７１を操作（タッチ）すると、図４に示すようなテレビ用リモコン表示に切り替わり、ビデオ表示ボタン５７２を操作（タッチ）すると、図５に示すビデオ用リモコン表示に切り替わる。なお、上述したように、図４に示すテレビ用リモコンパネル及び図５に示すビデオ用リモコンパネルには、外部入力機器の種類を示すボタン５１０ｎが表示されているが、ここでは、上述した設定画面において「ビデオ２」に対するインデックス表示を非表示として設定しているので、「ビデオ２」に対応するボタンは押せない（Ｄｉｓａｂｌｅ）状態になっている。更に、現在表示しているリモコンパネルＲＰに対応するボタン、例えば図５に示すビデオ用リモコンパネルとなっている場合は、「ビデオ１」が、図４に示すテレビ用リモコンパネルとなっている場合には、「プラズマ」ボタンが選択された状態（他とは異なる色等）で表示される。
【００９５】
更に、インデックス画面５７０の表示ウィンドウ５４０の下方には、操作バー５４１が設けられており、例えば、上述した図６に示す設定画面を表示するボタン、画面メモ、画面保存、２重音声、画音スリープ、スワップ、スロー、キャッチ等の各種の操作ボタン５８１ｎが設けられている。例えば、スロー、キャッチ又はスワップボタン５８１１〜５８１３を操作（タッチ）すると、タッチパネルにより、その操作位置を検出し、可搬型表示装置１００の制御部１３０は、タッチパネルにより検出された位置に応じてスローコマンド、キャッチコマンド又はスワップコマンドを示す操作信号を形成して送信処理部１１２からベース装置２００に送信する。
【００９６】
ここで、ベース装置２００は、上述したチューナ２０２Ａにより選局されたテレビ放送番組の映像信号や音声信号をデータ圧縮して、所定の通信プロトコルで無線送信することにより、可搬型表示装置１００に供給し、チューナ２０２Ｂにより選局されたテレビ放送番組の映像信号や音声信号を上記ベース装置２００の出力端子２１５から接続ケーブル３５０を介して大画面表示装置３００に供給することができる。即ち、大画面表示装置３００と可搬型表示１００とは異なる映像等の情報信号を表示することができる。このような場合、上述のスワップ、スロー、キャッチボタンの操作により、大画面表示装置３００で表示されている映像等の表示内容と可搬型表示装置１００で表示されている映像等の表示内容とを入れ替え、大画面表示装置で表示されていた表示内容を可搬型表示装置１００にて表示し、逆に可搬型表示装置１００で表示されていた表示内容を大画面表示装置３００にて表示（以下、スワップという。）したり、また、可搬型表示装置１００で表示されていた表示内容を大画面表示装置３００においても表示（以下、スローという。）したり、大画面表示装置で表示されていた表示内容を可搬型表示装置１００においても表示（以下、キャッチという。）したりすることができる。
【００９７】
即ち、例えば、ベース装置２００の制御部２３０がスローコマンドを受信すると、可搬型表示装置１００側及び大画面表示装置３００側のスロー操作制御を並行処理により行う。すなわち、スロー操作制御では、可搬型表示装置１００により、スロー操作が可能であるか否かを判定し、無線圏外等で通信不能な状態や、ベース装置２００側で操作ロックされている状態にある場合などスロー操作ができない場合にはエラー表示を行い、スロー操作制御の終了となる。
【００９８】
また、スロー操作が可能である場合には、可搬型表示装置１００から上記スローコマンドを示す操作信号をベース装置２００に送信し、大画面表示装置３００の受信チャンネルを可搬型表示装置１００の受信チャンネルに切り替える処理を呼び出して実行し、スロー操作制御の終了となる。
【００９９】
大画面表示装置３００は、上記受信チャンネルを切り替える処理の呼び出しを受理すると、画面のフェードアウト及び音声のミュート制御を行い、スキャンレートの変更などの信号切替処理を行い、画面のフェードアウト及び音声のミュート制御を解除して、スロー操作制御の終了となる。
【０１００】
このようなスロー操作制御により、大画面表示装置３００の表示内容が、可搬型表示装置１００の表示内容に切り替えられる。このスロー操作では、例えば、可搬型表示装置１００の表示内容は切り替えられることなく、このスロー操作を行ったことを示すことが表示されるものとする。
【０１０１】
また、ベース装置２００の制御部２３０は、キャッチコマンドを受信すると、可搬型表示装置１００側及び大画面表示装置３００側のキャッチ操作制御を並行処理により行う。すなわち、キャッチ操作制御では、上記可搬型表示装置１００により、キャッチ操作が可能であるか否かを判定し、無線圏外等で通信不能な状態や、ベース装置２００側で操作ロックされている状態にある場合などキャッチ操作ができない場合にはエラー表示を行い、キャッチ操作制御の終了となる。
【０１０２】
一方、キャッチ操作が可能である場合には、可搬型表示装置１００側で大画面表示装置３００側の受信チャンネルを取得し、可搬型表示装置１００から上記キャッチコマンドを示す操作信号をベース装置２００に送信し、可搬型表示装置１００の受信チャンネルを大画面表示装置３００の受信チャンネルに切り替える処理を呼び出して実行し、キャッチ操作制御の終了となる。なお、可搬型表示装置１００の受信チャンネルを切り替える処理の実行中は、可搬型表示装置１００側の映像と音声をミュートする。
【０１０３】
大画面表示装置３００側では、上記受信チャンネルを切り替える処理の呼び出しを受理すると、チャンネルを切替えを行わずに、可搬型表示装置１００側に受信チャンネルをキャッチされたことをＯＳＤ処理部１０５により一定時間表示して、ＯＳＤ処理部１０５によるキャッチ表示を解除して、キャッチ操作制御の終了となる。
【０１０４】
このようなキャッチ操作制御により、大画面表示装置３００の表示内容は、切り替えられることなく、ＯＳＤ処理部１０５によるキャッチ表示がなされ、可搬型表示装置１００の表示内容が、大画面表示装置３００の表示内容に切り替えられる。
【０１０５】
更に、ベース装置２００の制御部２３０は、スワップコマンドを受信すると、上記可搬型表示装置１００側と大画面表示装置３００側のスワップ操作制御を並行処理により行う。すなわち、スワップ操作制御では、可搬型表示装置１００により、スワップ操作が可能であるか否かを判定し、無線圏外等で通信不能な状態や、ベース装置２００側で操作ロックされている状態にある場合などキャッチ操作ができない場合にはエラー表示を行い、スワップ操作制御の終了となる。
【０１０６】
一方、スワップ操作が可能である場合には、可搬型表示装置１００から上記スワップコマンドを示す操作信号をベース装置２００に送信し、可搬型表示装置１００の受信チャンネルを大画面表示装置３００の受信チャンネルに切り替える処理を呼び出して実行し、可搬型表示装置１００で大画面表示装置３００の受信チャンネルを取得し、可搬型表示装置１００の受信チャンネルを取得した大画面表示装置３００の受信チャンネルに切り替える処理を実行して、スワップ操作制御の終了となる。なお、可搬型表示装置１００側の受信チャンネルを切り替える処理の実行中は、可搬型表示装置１００側の映像と音声をミュートする。
【０１０７】
大画面表示装置３００側では、上記受信チャンネルを切り替える処理の呼び出しを受理すると、画面のフェードアウト及び音声のミュート制御を行い、スキャンレートの変更などの信号切替処理を行い、画面のフェードアウト及び音声のミュート制御を解除して、スワップ操作制御の終了となる。
【０１０８】
このようなスワップ操作制御により、大画面表示装置３００の表示内容が、上記可搬型表示装置１００の表示内容に切り替えられ、また、上記可搬型表示装置１００の表示内容が、大画面表示装置３００の表示内容に切り替えられる。
【０１０９】
なお、ここでは、ベース装置２００のチューナ２０２Ａはチューナ２０２Ｂにより選局されるテレビジョン放送番組の表示画面を可搬型表示装置１００と大画面表示装置３００で入れ替える画面切り替え処理、即ちスロー操作制御、キャッチ操作制御及びスワップ操作制御について説明したが、ＳＴＢにより選局された衛星放送信号により提供される衛星放送番組や、更に、ベース装置２００に、ＶＴＲやＤＶＤ装置が外部入力機器として接続されている場合には、これらＶＴＲやＤＶＤ装置により再生するようにされる映画などを視聴する場合に、この映像表示システム１では、セレクタ２０６の制御によりそれらの再生画像を同様な操作で入れ替えることもできる。
【０１１０】
また、この映像表示システム１は、ベース装置２００に設けた図示しないロックスイッチにより、ボタン操作入力によるスロー操作制御、キャッチ操作制御やスワップ操作制御を受け付けないようにすることもできる。
【０１１１】
次に、可搬型表示装置１００に設けられたリモコンパネルＲＰ及びタッチパネル１２１の動作について説明する。図９乃至図１１は、リモコンパネルＲＰを表示する際の動作を示すフローチャートである。
【０１１２】
図９に示すように、使用者が先ず可搬型表示装置１００のリモコンボタン１２３を押す（ステップＳ１）と、可搬型表示装置１００の制御部１３０がリモコンパネルＲＰを表示可能か否かを検出する（ステップＳ２）。具体的には、可搬型表示装置１００は、ベース装置２００と無線により通信しているため、無線圏外等、可搬型表示装置１００と通信可能であるか否かを検出する。そして、検出不可能である場合は、ＬＣＤ１０７に圏外エラー表示を表示する（ステップＳ３）。一方、検出可能である場合は、ＬＣＤ１０７にリモコンパネルＲＰを表示する（ステップＳ４）。
【０１１３】
リモコンパネルＲＰが表示されているときは、可搬型表示装置１００を使用して、大画面表示装置３００にＴＶ放送信号が供給されているときのＴＶチャンネルの変更やベース装置に接続された各外部入力機器のリモコン操作が可能である。リモコン操作をする際は、図１０に示すように、先ず、リモコンパネルＲＰが操作されると、タッチパネルによりこの操作を検出し（ステップＳ１１）、可搬型表示装置１００の制御部１３０により、リモコン操作が可能であるか否かが検出される（ステップＳ１２）。なお、本実施の形態では、リモコン操作が可能であるか否かの検出は、使用者がリモコンパネルＲＰを操作する（タッチパネルに触れる）毎に検出するが、例えば、所定の時間経過毎に定期的に検出するか、又はリモコン操作が可能であるか否かを常に検出する等してもよい。リモコン操作が不可能である場合は、ＬＣＤ１０７に対するリモコンパネルＲＰの表示はオフされ、ＬＣＤ１０７にエラー表示される（ステップＳ１３）。一方、ステップＳ１１でリモコン操作が可能であることが検出された場合、使用者がリモコンパネルＲＰにおけるボタンを操作すると、ＬＣＤ１０７の表面に設けられたタッチパネル１２１により、接触位置を検出し、可搬型表示装置１００の制御部１３０は、検出した接触位置に応じて操作信号を生成し、送信処理部１１２からベース装置２００に送信する。ベース装置２００の制御部２３０は、操作信号を受信すると、大画面表示装置に供給される映像信号を切替える処理が呼び出され（ステップＳ１４）、処理を完了する。これにより、大画面表示装置３００の表示が切り替えられる。
【０１１４】
可搬型表示装置１００からの操作信号がベース装置２００に送られると、ベース装置２００は、ステップ１４の操作制御と並行して、供給される映像信号等の変更に伴う切替処理を行うための制御信号を大画面表示装置３００に送信する。大画面表示装置３００においては、ベース装置２００から切替処理制御信号を受理する（ステップＳ１５）と、例えば画面のフェードアウト及び音声のミュート制御を行い、スキャンレートの変更などの信号切替処理を行い（ステップＳ１６）、画面のフェードアウト及び音声のミュート制御を解除して、操作が完了となる。
【０１１５】
次に、大画面表示装置３００に供給される映像信号の切り替え操作を行う場合の動作について説明する。上述したように、可搬型表示装置１００のＬＣＤ１０７にリモコンパネルＲＰが表示されているときのみ、リモコン操作が可能である。例えば、大画面表示装置３００がテレビ表示されている状態で、入力切替操作、即ちリモコンパネルＲＰから「ビデオ」ボタンを操作した場合について説明する。図１１に示すように、「ビデオ」ボタンが操作（タッチ）されると、タッチパネルがこれを検出し（ステップＳ２１）、可搬型表示装置１００の制御部１３０がリモコン操作が可能であるか否かを検出する（ステップＳ２２）。リモコン操作が不可能であることが検出された場合は、リモコンパネルＲＰの表示がオフされ、代わりにエラー表示が表示される（ステップＳ２３）。一方、リモコン表示可能であることが検出されると、後述する入力切替が、連動か非連動であるかが検出される（ステップＳ２４）。非連動であると検出された場合は、可搬型表示装置１００に表示されているリモコンパネルＲＰの表示のみビデオ用のリモコンパネルに表示が切替られる（ステップＳ２５）。一方、連動である場合は、リモコンパネルＲＰ及び大画面表示装置３００の表示が同時に切り替えられるような処理がなされる（ステップＳ２６）。即ち、上述したように、可搬型表示装置１００からベース装置２００に操作信号が送られと、ベース装置２００は、ステップ２６の操作制御と並行して、大画面表示装置３００の切替処理を行うための制御信号を大画面表示装置３００に送信する。大画面表示装置３００においては、ベース装置２００から切替処理制御信号を受理する（ステップＳ２７）と、例えば画面のフェードアウト及び音声のミュート制御を行い、スキャンレートの変更などの信号切替処理を行い、画面のフェードアウト及び音声のミュート制御を解除して、操作が完了となる。こうして、大画面表示装置３００の表示が切り替えられる。
【０１１６】
次に、上記ステップＳ２４における入力切替の連動／非連動について説明する。以上の説明においては、リモコンパネルＲＰの機器選択ボタンの操作をタッチパネルが検出し、この検出結果に基づきリモコンパネルＲＰの表示を切り替えると共に、ベース装置２００を遠隔操作して、外部入力端子のいずれかを選択することで、所定の外部入力機器４００からの映像信号を大画面表示装置３００に供給することができるものとして説明した。即ち、各１つの外部入力端子に１つの外部入力機器が接続されている場合は、リモコンパネルＲＰに表示される図４及び図５に示す機器選択ボタン５１０２、５１０３、・・・は、ベース装置２００の各外部入力端子の切替選択と連動して、これにより各外部入力機器を切替選択することができるものとして説明したが、ベース２００の１つの外部入力端子には、例えばアンプを介して複数の外部入力機器が接続される場合がある。
【０１１７】
図１２は、ベース装置２００の外部入力端子にアンプを介して複数の外部入力機器が接続される場合の映像表示システムを示す模式図である。図１２に示すように、ベース装置２００のビデオ入力１に対応する外部入力端子にアンプ４１０が接続され、このアンプ４１０に、例えばビデオ装置４１１、４１２、ＤＶＤ４１３、チューナ、テレビ等の複数の外部入力機器が接続されている。
【０１１８】
このような場合、各機器選択ボタンは、１つの外部入力端子に対応するものであるので、アンプ４１０が接続されている外部入力端子に対応している機器選択ボタンは、アンプ４１０を介して接続されている複数の外部入力機器４１１，４１２，４１３・・・を選択することができない。そこで、可搬型表示装置１００の設定画面等に、連動／非連動を設定するボタン等を設け、１つの外部入力端子に複数の外部入力機器が接続されている場合は、リモコンパネル及びタッチパネルによる機器選択操作と、ベース装置２００の外部入力端子の切替操作を非連動に切り替えることができるものとする。非連動に設定した場合は、大画面表示装置３００の入力を切り替えず、可搬型表示装置１００に表示されるリモコンパネルＲＰだけを切り替えることができる。
【０１１９】
アンプ４１０に複数の外部入力機器が接続されている場合も上述と同様に、予め外部入力機器の機種等を設定画面により設定することにより、アンプ４１０が接続されている外部入力端子を選択する機器選択ボタンを操作すると、図１３に示すアンプ操作用のリモコンパネルＲＰが表示される。図１３に示すように、アンプ操作用のリモコンパネルＲＰは、図４及び図５に示すリモコンパネルＲＰと同様に、アンプ４１０の電源をオン／オフを切り替える電源ボタン６０２、リモコンパネルＲＰの表示を消す表示オフボタン６０５等が設けられていると共に、アンプ４１０に接続されている各外部入力機器４１１，４１２，４１３・・・に対応する機器選択ボタン６１０ｎ（６１０１、６１０２、６１０３・・・）が表示された機器選択操作表示部６２０が設けられている。機器選択ボタン６１０ｎにより、アンプ４１０の入力切替を行うことができる。これにより、アンプ４１０に接続されている外部入力機器のいずれかを選択して所望の映像をベース装置２００に供給することができる。また、その他、音量調節等の各種操作ボタン表示部６３０等を設けてもよい。
【０１２０】
図１４及び図１５は、夫々入力切替が非連動であるときのＴＶ用リモコンパネル及びビデオ用リモコンパネルを示す模式図である。なお、図１４及び図１５において、上述した図４及び図５に示すリモコンパネルと同一の機能ボタンには同一の符号を付してその詳細な説明を省略する。
【０１２１】
図１４及び図１５に示すように、リモコンパネルＲＰの右側に表示される機器選択ボタン５１０１、５１０２、・・・の下方に入力切替ボタン５０６が表示されている。この入力切替ボタン５０６は、入力切替非連動時のみ表示される。機器選択ボタン５１０ｎの切替とベース装置２００の外部入力端子の選択切替とを連動とするか、非連動とするか（入力切替の連動／非連動）は、上述したように、設定画面等により使用者によって設定することができる。
【０１２２】
このように、入力切替ボタン５０６が表示され、入力切替が非連動の場合は、機器選択ボタン５１０ｎの操作によって、可搬型表示装置１００においては、予め設定した機器に対応するリモコンパネルＲＰに表示が切り替わるものの、連動の場合と異なり、大画面表示装置３００の表示は切り替わらない。即ち、機器選択ボタン５１０ｎによっては、ベース装置２００の外部入力端子の切替選択をしない。従って、入力切替が非連動の場合に、外部入力端子の切替を行う際は、入力切替ボタン５０６を操作（タッチ）し、この操作をタッチパネル１２１が検出することにより、操作信号がベース装置２００に送られ、これにより、ベース装置２００が外部入力端子を順次選択していくものとする。
【０１２３】
使用者は、先ず、入力切替ボタン５０６により、ベース装置２００のアンプ４１０が接続されている外部入力端子を選択し、図１３に示すアンプ４１０の操作用リモコンパネルＲＰを表示する。そして、このアンプ操作用リモコンパネルＲＰから操作対象の外部入力機器を選択し、次に、インデックス画面又は各リモコンパネルＲＰの右側に設けた機器選択ボタン５１０ｎを操作することにより、操作対象の外部入力機器に対応するリモコンパネルＲＰを表示させる。即ち、例えば、操作対象がＴＶであれば、図１４に示すＴＶ用リモコンパネル、操作対象がビデオであれば図１５に示すビデオ用リモコンパネルを表示させ、このリモコンパネルＲＰ及びタッチパネル１２１を使用して、上述したように、ベース装置２００を遠隔操作し、大画面表示装置３００に所定の映像を表示させることができる。
【０１２４】
ここで、上述の実施の形態では、可搬型表示装置１００、ベース装置（ベースステーション）２００、大画面表示装置３００とからなり、ベース装置２００から供給される映像信号を可搬型表示装置１００と大画面表示装置３００で表示するように映像表示システム１を構成したが、ベース装置２００は、複数の可搬型表示装置１００や大画面表示装置３００に映像信号を無線による信号伝送あるいは有線による信号伝送により供給するようにしてもよい。
【０１２５】
また、本実施の形態においては、ベース装置がチューナ手段を有し、使用者からの指示に応じて可搬型表示装置１００から送信される操作信号に応じて、テレビ放送番組を選局し、その映像信号を大画面表示装置３００に供給するものとして説明したが、外部入力機器４００としてチューナ手段を設けてもよいし、大画面表示装置３００にチューナ手段を設けてもよい。その際、可搬型表示装置１００からの操作信号がベース装置２００を介して外部入力機器４００又は大画面表示装置３００に供給され、チューナ手段を制御して映像信号を選局することができる。
【０１２６】
このように構成された本実施の形態の映像表示システム１においては、外部入力機器、地上波テレビ放送、インターネット等の通信ネットワーク等の各種の情報伝送媒体と可搬型表示装置１００及び大画面表示装置３００とを結びつけるベースとなるベース装置２００を、ベース装置２００と無線により双方向通信可能な可搬型表示装置１００により遠隔操作し、テレビ放送番組の映像信号や音声信号、あるいは、ベース装置２００のモデムを通じて通信ネットワークから得た映像データや音声データ、あるいは、ベース装置２００に接続された外部入力機器の例えばＳＴＢからの衛星放送番組の映像信号や音声信号等の情報信号を大画面表示装置３００に供給することにより、上記大画面表示装置３００にて所望の映像を表示することができる。
【０１２７】
また、可搬型表示装置１００は、小型化且つ軽量化であって、ベース装置２００とは、無線通信により接続されているため、持ち運びに適しており、使用者は、ベース装置２００と通信が可能な範囲内であれば、可搬型表示装置１００を持ち運び、何処ででも可搬型表示装置１００を用いて、ベース装置２００から提供される情報信号を大画面表示装置３００にて再生して出力し、使用者に提供することができることができる。
【０１２８】
更に、可搬型表示装置１００の操作により、ベース装置２００のモデムを通じて、例えば、インターネット上に提供されているいわゆるホームページの情報を取得し、そのホームページの情報を視聴したり、自己宛ての電子メールを受信して、その電子メールをＬＣＤ１０７に表示して見たり、更に、目的とする相手先に電子メールを作成して送信したりすることができる。
【０１２９】
【発明の効果】
以上詳細に説明したように、本発明に係る映像表示システムは、第１及び第２の表示装置と少なくとも上記第１の表示装置に映像信号を供給するベース装置とからなる映像表示システムであって、上記第１の表示装置は、上記ベース装置から供給される上記映像信号を表示する映像表示部を備え、上記第２の表示装置は、上記ベース装置との間で信号の授受を行う双方向通信手段と、使用者からの操作入力を受け付けるための操作用表示情報を表示する表示部と、この表示部の表示画面に設けられ、使用者が接触するようにした上記表示画面上の接触位置を検出する接触位置検出手段と、上記接触位置検出手段により検出される上記表示画面上の接触位置に表示されている上記操作用表示情報の表示項目に応じた操作信号を生成する操作信号生成手段とを備え、上記ベース装置は、少なくとも上記第１の表示装置に上記映像信号を出力する映像信号出力手段と、少なくとも上記第２の表示装置との間で信号の授受を行う双方向通信手段と、上記映像信号の供給元である外部入力装置を接続する外部入力装置接続手段と、上記双方向通信手段を介して受信した上記操作信号に基づいて上記外部入力装置を制御する外部入力装置制御信号を該外部入力装置に送信する制御信号送信手段とを備えるので、第２の表示装置において使用者からの操作入力に応じた操作信号を生成して、双方向通信手段を介してベース装置に送信し、この操作信号によりベース装置に接続された映像信号の供給元となる外部入力装置を制御し、所望の映像信号を第１の表示装置に供給して表示することができ、使用者からの操作を受け付ける第２の表示装置を第１の表示装置の遠隔操作装置として機能させることができる。
【図面の簡単な説明】
【図１】本発明の実施の形態の映像表示システムを示す模式図である。
【図２】本発明の実施の形態の映像表示システムにおける可搬型表示装置を示すブロック図である。
【図３】本発明の実施の形態の映像表示システムにおけるベース装置を示すブロック図である。
【図４】可搬型表示装置に表示されるテレビ用リモコンパネルを示す模式図である。
【図５】可搬型表示装置に表示されるビデオ用リモコンパネルを示す模式図である。
【図６】可搬型表示装置に表示される設定画面の一例を示す模式図である。
【図７】可搬型表示装置に表示されるリモコン詳細設定の画面の一例を示す模式図である。
【図８】可搬型表示装置に表示されるインデックス表示画面の一例を示す模式図である。
【図９】可搬型表示装置にてリモコンパネルＲＰを表示する際の動作を示すフローチャートである。
【図１０】リモコンパネルＲＰにより、リモコン操作する際の可搬型表示装置及びベース装置、並びに大画面表示装置における動作を示すフローチャートである。
【図１１】リモコンパネルＲＰにより、リモコンパネルＲＰ及び大画面表示装置の入力切替操作をする際の可搬型表示装置及びベース装置、並びに大画面表示装置における動作を示すフローチャートである。
【図１２】ベース装置の外部入力端子にアンプを介して複数の外部入力機器が接続される場合の映像表示システムを示す模式図である。
【図１３】可搬型表示装置に表示されるアンプ用リモコンパネルを示す模式図である。
【図１４】入力切替非連動の場合の可搬型表示装置に表示されるテレビ用リモコンパネルを示す模式図である。
【図１５】入力切替非連動の場合の可搬型表示装置に表示されるビデオ用リモコンパネルを示す模式図である。
【符号の説明】
１　映像表示システム、１００　可搬型表示装置、１０１　送受信アンテナ、１０２　アンテナ共用器、１０３　受信処理部、１０４　デコード部、１０５　ＯＳＤ処理部、１０６　映像信号処理部、１０７　ＬＣＤ、１０８　音声信号増幅部、１０９　スピーカ、１１１　送信信号形成部、１１２　送信処理部、１２１　タッチパネル、１２２　座標検出部、１３０　制御部、２００　ベース装置、２０１Ａ，２０１Ｂ　受信アンテナ、２０２Ａ，２０２Ｂ　第１及び第２のチューナ、２０３Ａ，２０３Ｂ　復調部、２０４　映像信号入力端子、２０５　音声信号入力端子、２０６　セレクタ、２０７　圧縮処理部、２０８　送信信号形成部、２０９　送信処理部、２１０　アンテナ共用器、２１１　送受信アンテナ、２１５　信号出力端子、２１２　受信処理部、２３０　制御部、３００　大画面表示装置、４００　外部入力機器
【図１】
2004040656.tif 000003
【図２】
2004040656.tif 000004
【図３】
2004040656.tif 000005
【図４】
2004040656.tif 000006
【図５】
2004040656.tif 000007
【図６】
2004040656.tif 000008
【図７】
2004040656.tif 000009
【図８】
2004040656.tif 000010
【図９】
2004040656.tif 000011
【図１０】
2004040656.tif 000012
【図１１】
2004040656.tif 000013
【図１２】
2004040656.tif 000014
【図１３】
2004040656.tif 000015
【図１４】
2004040656.tif 000016
【図１５】
2004040656.tif 000017